(57)【特許請求の範囲】
【請求項１】
吸込口と吹出口とを備えた本体内に熱交換器と送風ファンとを備え、前記吸込口の裏面にフィルタを設けるとともに、清掃手段を備えたフィルタ清掃ユニットを設け、同フィルタ清掃ユニットが前記フィルタ面を移動し、前記フィルタの清掃を行う空気調和機において、前記フィルタ清掃ユニット内に、同フィルタ清掃ユニットの移動方向に対して、前記フィルタに接触するように保持又は非接触となるように保持される一対の清掃ブラシを設け、前記フィルタ清掃ユニットが前記フィルタの一側から他側に移動する往路では、いずれか一方の清掃ブラシが前記フィルタの一側面に接触して清掃を行い、前記フィルタ清掃ユニットが前記フィルタの他側から一側に移動する復路では、他方の清掃ブラシが前記フィルタの他側面の清掃を行うようにしたことを特徴とする空気調和機。
【請求項２】
前記清掃ブラシは、前記フィルタ清掃ユニット内に回動自在に設けられるとともに、同フィルタ清掃ユニット内には、前記清掃ブラシの回動を規制するロック部材が設けられていることを特徴とする請求項１に記載の空気調和機。
【請求項３】
前記フィルタ清掃ユニット内には、前記清掃ブラシが回動した際、同清掃ブラシに付着した塵埃を除去し、前記フィルタ清掃ユニット内に回収する回収ブラシが設けられていることを特徴とする請求項１または請求項２に記載の空気調和機。
【発明の詳細な説明】
【技術分野】
【０００１】
本発明は、空気調和機に係わり、より詳細には自動フィルタ清掃機能を備えた構成に関する。
【背景技術】
【０００２】
フィルタ清掃機能を備えた従来の天井埋込形空気調和機５０は、例えば図１１（Ａ）で示すように、天井内壁面から複数の吊りボルトにより掛架され、下面が開放された多角形状の筐体５１と、同筐体５１の開放された下面に装着され、室内の天井下面に密着する化粧パネル５２と、吸込口を形成し前記化粧パネル５２に装着されるで吸込グリル５３とで外郭筐体を構成している。また、前記吸込グリル５３の裏面には、吸込まれた空気から塵埃を除去するフィルタ５４が装着されている。
【０００３】
前記筐体５１内には、送風ファン５５と、同送風ファン５５を囲繞するように、熱交換器５６とが配設されており、前記吸込グリル５３から吸込まれた室内の空気は、前記フィルタ５４により塵埃を除去された後、前記送風ファン５５により前記熱交換器５６に向かい、これを通過して熱交換され、前記吹出口５７から再び室内に送出されるようになっている。
【０００４】
前記吸込グリル５３は、図１１Ｂ）の斜視図で示すように、中空な断面矩形状に形成され、中空部を吸引流路とした枠体状の外周部５８と、同外周部５８間に複数架設され、上面に吸引孔を多数穿設した中空状の桟５９と、前記フィルタ５４の一端に掛止し、これを前後に揺動させる駆動部６１とからなり、また、前記外周部５８の一端には、前記化粧パネル５２に穿設された吸引口５２ａに接続されるチューブ６０が設けられている。
【０００５】
前記フィルタ５４に塵埃が堆積した際は、前記化粧パネル５２の吸引口５２ａに、掃除機の吸込ノズルを挿入し吸引することにより、前記吸込グリル５３の桟５９に穿設された吸引孔に、前記フィルタ５４に堆積した塵埃が吸引され、前記外周部５８の吸引流路と、前記チューブ６０とを介して掃除機に塵埃が回収され、これによりフィルタ５４が清掃されるようになっている。
【０００６】
しかしながら、前記フィルタ５４を清掃する際、天井面に近い前記化粧パネル５２の吸引口５２ａに掃除機の吸込ノズルを挿入し、清掃作業を行うことは作業の負担が重く、また、枠体状の外周部５８と、複数の中空状の桟５９とから構成された前記吸込グリル５３は、構造が複雑で空気の通風抵抗が増し、騒音が発生する等の懸念があった。また、除去された塵埃が室内に飛散してしまうというような不具合も考えられ、対策が求められていた。また、フィルタを移動する清掃ブラシにより一度で清掃する方式もあるが、フィルタとブラシとの接触面積が大きくなり、これに伴って接触抵抗も増大し、清掃ブラシを移動させる駆動系統及びギア系統に掛かる負荷が大きくなって、フィルタ清掃運転に支障が発生する虞とともに、駆動系統及びギア系統が大型化してしまうという問題があった。
【０００７】
【特許文献１】特開平１１−１３２５４８号公報（３頁、図１）
【発明の開示】
【発明が解決しようとする課題】
【０００８】
本発明は、上記問題点に鑑み、自動フィルタ清掃機能の構造を複雑にすることなく、且つ、駆動モータの小型化及び駆動系統の小型化を図ることのできる空気調和機を提供することを目的とする。
【課題を解決するための手段】
【０００９】
本発明は、上記課題を解決するため、吸込口と吹出口とを備えた本体内に熱交換器と送風ファンとを備え、前記吸込口の裏面にフィルタを設けるとともに、清掃手段を備えたフィルタ清掃ユニットを設け、同フィルタ清掃ユニットが前記フィルタ面を移動し、前記フィルタの清掃を行う空気調和機において、前記フィルタ清掃ユニット内に、同フィルタ清掃ユニットの移動方向に対して、前記フィルタに接触するように保持又は非接触となるように保持される一対の清掃ブラシを設け、前記フィルタ清掃ユニットが前記フィルタの一側から他側に移動する往路では、いずれか一方の清掃ブラシが前記フィルタの一側面に接触して清掃を行い、前記フィルタ清掃ユニットが前記フィルタの他側から一側に移動する復路では、他方の清掃ブラシが前記フィルタの他側面の清掃を行うようにした構成となっている。また、前記清掃ブラシは、前記フィルタ清掃ユニット内に回動自在に設けられるとともに、同フィルタ清掃ユニット内には、前記清掃ブラシの回動を規制するロック部材が設けられている構成となっている。また、前記フィルタ清掃ユニット内には、前記清掃ブラシが回動した際、同清掃ブラシに付着した塵埃を除去し、前記フィルタ清掃ユニット内に回収する回収ブラシが設けられている構成となっている。
【発明の効果】
【００１０】
本発明によると、フィルタ清掃ユニット内に、同フィルタ清掃ユニットの移動方向に対して、前記フィルタに接触するように保持又は非接触となるように保持される一対の清掃ブラシを設け、前記フィルタ清掃ユニットが前記フィルタの一側から他側に移動する往路では、いずれか一方の清掃ブラシが前記フィルタの一側面に接触して清掃を行い、前記フィルタ清掃ユニットが前記フィルタの他側から一側に移動する復路では、他方の清掃ブラシが前記フィルタの他側面の清掃を行うようにしているので、清掃ブラシとフィルタとの接触面積が、一度に清掃する場合に比較して半分となり、駆動モータに掛る動力負荷およびギヤ系統に掛る動力負荷を大幅に低減でき、これにより円滑なフィルタの清掃が行え、駆動モータ等の小型化が図れる。
以上
【発明を実施するための最良の形態】
【００１１】
以下、本発明の実施の形態を、添付図面に基づいた実施例として詳細に説明する。
【実施例１】
【００１２】
図１は第一実施例における天井埋込形空気調和機を示す側面図であり、図２は、同天井埋込形空気調和機に設けられるクリーンフィルタユニットを示す正面図及び側面図である。図３はクリーンフィルタユニットの駆動系統を示す正面図及び側面図であり、図４はフィルタ清掃ユニットを示す分解斜視図である。又、図５は同フィルタ清掃ユニット内の動作を示す断面図であり、図６はフィルタ清掃の手順を示す正面図及び断面図である。
図７は第二実施例による壁掛型空気調和機を示す断面図であり、図８はクリーンフィルタユニットを示す斜視図である。図９は駆動系統を示す断面図であり、図１０はフィルタ清掃ユニット内の動作を示す断面図である。
【００１３】
本発明の第一実施例による天井埋込形空気調和機１は、図１で示すように、天井内壁面から複数の吊りボルトにより掛架され、下面が開放された多角形状の筐体３と、室内の天井下面に周縁部を密着させた化粧パネル４と、吸込口を形成し同化粧パネル４の中央部に装着される吸込グリル５と、前記筐体３と前記化粧パネル４との間に設けられるクリーンフィルタユニット６とで構成されている。
【００１４】
前記吸込グリル５には、複数の横桟からなる格子状の吸込口が形成され、前記化粧パネル４の四囲周縁には、風向偏向板を夫々備えた吹出口が形成されている。前記吸込グリル５と前記前記化粧パネル４の吹出口とを結び、前記筐体３内に形成された空気流路には、図示はしていないが、前記吸込グリル５から室内の空気を吸引する送風ファンと、同送風ファンを囲繞するように、並列された多数のフィンと、同フィンに直交するように蛇行状に配設された伝熱管とからなる熱交換器とが配設され、又、前記筐体３の天面壁には、回転軸を前記送風ファンに固定して、これを駆動するファンモータが配置されている。前記吸込グリル５から送風ファンにより吸込まれた室内の空気は前記熱交換器に向かい、これを通過して熱交換された後、前記吹出口から再び室内に送出されるようになっている。
【００１５】
前記クリーンフィルタユニット６は、図２（Ａ）の正面図及び図２（Ｂ）の側面図で示すように、外形が多角形状に形成され、四囲に前記化粧パネル４の吹出口に連通する複数の送風路６ｃを穿設した枠部６ａと、同枠部６ａ中央部のフィルタ装着部６ｂに装着されたフィルタ７とからなるとともに、前記フィルタ装着部６ｂの両側には、相対向する一対のレール９ａ、９ｂと、歯型を上面に形成した長尺状のラックギア１０と、前記レール９ａ、９ｂに前後移動可能にフィルタ清掃ユニット１１ａと、同フィルタ清掃ユニット１１ａと一体となったフィルタ抑えユニット１１ｂと、これを駆動する駆動ユニット８が設けられている。
【００１６】
前記フィルタ装着部６ｂに装着されるフィルタ７は、図３（Ａ）で示すように、中央に桟７ａを、同７ａの両側に補強用の細桟７ｂを備えた枠体と、同枠体内に張設され、網目が規則的に形成されたフィルタ部７ｃとからなり、同フィルタ部７ｃは、例えば導電性樹脂などの帯電防止材を添加したポリプロピレンなどのベース樹脂から形成されている。また、同フィルタ７の枠体両側前後には、図示はしていないが、後述するロック部材２０のカムが突き当たる突状部が夫々形成されている。
【００１７】
前記フィルタ清掃ユニット１１ａと、フィルタ抑えユニット１１ｂとは、図３（Ａ）で示すように、両側に、回動可能なキャスタ１１ｃを備え、同キャスタ１１ｃが前記レール９ａ、９ｂ上を転動することにより前記フィルタ７上を移動可能に支持されるようになっており、前記駆動ユニット８側の一側には、前記ラックギア１０に噛合するウォームギアを内蔵したウォームギアユニット１３が前記フィルタ清掃ユニット１１ａの一側に固定されている。また、同フィルタ清掃ユニット１１ａは、図３（Ｂ）の側面図で示すように、前記フィルタ７の下面に配置され、前記フィルタ抑えユニット１１ｂは前記フィルタ７の上面に配置されるようになっている。
【００１８】
前記駆動ユニット８は、減速ギアを内蔵した駆動モータ１２と、同駆動モータ１２の回転軸に噛合する連結ギア１４ａ及びこれに噛合する連結ギア１４ｂと、同連結ギア１４ｂに一端を固着し、前記ウォームギアユニット１３に挿通する回転軸と、前記ラックギア１０とからなり、前記駆動モータ１２が駆動されると、前記連結ギア１４ａを介して前記連結ギア１４ｂを固着した回転軸が回動し、前記ウォームギアユニット１３に内蔵され前記ラックギア１０に噛合するウォームギアが回動するようになっている。これにより、前記ウォームギアユニット１３を接続した前記フィルタ清掃ユニット１１ａは、前記フィルタ抑えユニット１１ｂとともに、前後に移動するようになっている。
【００１９】
次に、前記フィルタ清掃部１１ａについて説明する。図４（Ａ）は、同フィルタ清掃部１１ａを上下逆転して示した分解斜視図である。同フィルタ清掃ユニット１１ａは、第一カバー１５と、第二カバー１６とで構成され、内部には、回動自在に軸支される一対の清掃ブラシ１７及び清掃ブラシ１８と、これらに捕獲された塵埃を回収する一対の回収ブラシ１９と、前記清掃ブラシ１７及び清掃ブラシ１８の回動を規制するロック部材２０とが収納されるようになっている。
【００２０】
前記第一カバー１５は、後縁両端部に設けられた軸を前記第二カバー１６に設けられた軸孔に軸支されて、同第二カバー１６に開閉可能に取り付けられるようになっている。
【００２１】
前記第二カバー１６には、上下に貫通する略横長矩形状の右側清掃ブラシ取付部１６ａ及び左側清掃ブラシ取付部１６ｂが中央の区画壁を挟んで左右一対に穿設されており、右側清掃ブラシ取付部１６ａの後縁一側には、後述するロック部材２０を装着する凹部が形成され、これと対称に、左側清掃ブラシ取付部１６ｂの前縁一側には、同様にロック部材２０を装着する凹部が形成されている。また、これら清掃ブラシ取付部の側壁には、軸受孔が夫々穿設されている。
【００２２】
前記清掃ブラシ１７は、図４（Ｂ）で示すように、両端部に軸１７ｂを突設した断面半円状の基台１７ａと、同基台１７ａの外周面に貼着されたナイロン製のブラシ２１とからなり、前記基台１７ａの一側を延出して掛止部１７ｄを形成している。また、同掛止部１７ｄ側に位置する前記軸１７ｂには、平板状のカム１７ｃが突設されている。前記左側清掃ブラシ取付部１６ｂに配置される清掃ブラシ１８は、前記清掃ブラシ１７に対し左右対称となるように形成されている。これら、清掃ブラシ１７と清掃ブラシ１８とは、図４（Ａ）の矢印で示すように、両端部に夫々突設された軸１７ｂ及び１８ｂを、前記右側清掃ブラシ取付部１６ａ及び左側清掃ブラシ取付部１６ｂの側壁に穿設された軸受孔に夫々挿入されることにより、回動自在に前記フィルタ清掃ユニット１１ａに夫々装着されるようになっている。
【００２３】
前記ロック部材２０は、図４（Ｂ）で示すように、軸２０ａと、同軸２０ａに一体に形成された円弧状の押さえ部２０ｂとからなり、前記軸２０ａの一端にはカム２０ｃが突設されている。同ロック部材２０は、図４（Ａ）の矢印で示すように、前記右側清掃ブラシ取付部１６ａの後縁一側に形成された凹部に回動自在に装着されるようになっており、また、弦巻バネにより付勢されて同ロック部材２０は、ある一定方向に回転するようになっている。前記押さえ部２０ｂが前記清掃ブラシ１７の掛止部１７ｄに当接すると、前記ブラシ２１が前記フィルタ７の表面に常時接触するように同清掃ブラシ１７の回動が規制されるようになっており、また、前記ロック部材２０が回動して、前記押さえ部２０ｂが前記清掃ブラシ１７の掛止部１７ｄから離間すると同清掃ブラシ１７は、規制が解除されて回動可能となっている。
【００２４】
前記回収ブラシ１９は両側に軸を突設した平板にブラシを貼着しており、図４（Ａ）の矢印で示すように、前記右側清掃ブラシ取付部１６ａ及び左側清掃ブラシ取付部１６ｂに夫々、前後対称となるように回動自在に装着されるようになっており、また、図示しないスプリングにより前記清掃ブラシ１７及び清掃ブラシ１８側に付勢されるようになっている。同回収ブラシ１９は前記清掃ブラシ１７及び清掃ブラシ１８が回動した際、前記ブラシ２１に付着した塵埃をかき取り、前記フィルタ清掃ユニット１１ａ内に回収するようになっている。尚、前記左側清掃ブラシ取付部１６ｂに装着されるロック部材２０及び回収ブラシ１９は、前記右側清掃ブラシ取付部１６ａに装着されるロック部材２０及び回収ブラシ１９に対し前後位置対称に配置されるようになっている。
【００２５】
次に、フィルタ清掃の動作について説明を行う。図５（Ａ）で示すように、前記清掃ブラシ１７のブラシ２１が前記フィルタ７に下面から接触しており、前記掛止部１７ｄに前記ロック部材２０の押さえ部２０ｂが当接することにより、回動が規制されるようになっている。また、前記フィルタ７の上面は、前記ブラシ２１が接触しても同フィルタ７が上方に逃げないよう前記フィルタ抑えユニット１１ｂが抑えるようになっている。この状態で、前記駆動ユニット８の駆動モータ１２が始動されると、前記ウォームギアユニット１３に挿通する回転軸が回転駆動され、同ウォームギアユニット１３内に備えられた前記ラックギア１０に噛合するウォームギアが回動して、前記フィルタ清掃ユニット１１ａと、これと一体となったフィルタ抑えユニット１１ｂは移動するようになっている。
【００２６】
前記フィルタ７に対し、前記フィルタ清掃ユニット１１ａが図５（Ａ）の矢印で示す方向に移動すると、前記清掃ブラシ１７が接触する前記フィルタ７の片側半分を清掃するようになっている。前記フィルタ７の下面に付着した塵埃は前記ブラシ２１が接触するに従い、その表面から  き取られるようになっている。前記フィルタ清掃ユニット１１ａが、前記フィルタ７の一側から他側まで移動すると、図５（Ｂ）で示すように、前記ロック部材２０のカム２０ｃが、前記フィルタ７の両側前後に形成された突状部に突き当たり矢印で示す方向に回動するようになっている。これに伴い、同ロック部材２０に形成された押さえ部２０ｂが、前記清掃ブラシ１７の掛止部１７ｄから離間し、同清掃ブラシ１７の回動の規制が解除されるようになっている。
【００２７】
前記清掃ブラシ１７の回動の規制が解除されると、続いて、同清掃ブラシ１７に設けられたカム１７ｃが前記突状部に突き当たり矢印で示す方向に回動するようになっている。これにより、前記ブラシ２１の表面が前記回収ブラシ１９の表面にに接触し、同ブラシ２１に付着した塵埃が  き取られ、前記フィルタ清掃ユニット１１ａ内に回収されるようになっている。
【００２８】
次に、前記駆動モータ１２が逆回転すると、前記前記フィルタ清掃ユニット１１ａと、これと一体となったフィルタ抑えユニット１１ｂとは逆方向に移動するようになっている。この際、前記ロック部材２０と、前記清掃ブラシ１７とは、図５（Ｃ）で示すように、夫々が備えた付勢手段により付勢されて、前記フィルタ清掃ユニット１１ａ内の下部に格納された状態で移動し、前記カム２０ｃ及び前記カム１７ｃが、前記フィルタ７の他側に設けられた突状部に突き当たると、図５（Ａ）で示す状態に復帰するようになっている。
【００２９】
次に、前記左側清掃ブラシ取付部１６ｂに備えられた清掃ブラシ１８の動作について説明する。前記清掃ブラシ１７と、前後対称となるように形成されている前記清掃ブラシ１８は、前記清掃ブラシ１７が前記フィルタ７に接触している場合は、図５（Ｃ）で示すように格納された状態となっており、前記清掃ブラシ１７が前記フィルタ７を清掃しながら前記ダストボックス１１が移動する際、格納された状態が維持されるようになっている。前記ダストボックス１１が、一側から他側まで移動すると、前記左側清掃ブラシ取付部１６ｂに配置された前記ロック部材２０のカム２０ｃ及び前記清掃ブラシ１８に設けられたカム１８ｃが前記突状部に突き当たり、前記清掃ブラシ１８が回動して、図５（Ａ）で示すように、ブラシ２１がフィルタ７の下面に接触した状態となる。
【００３０】
前記フィルタ清掃ユニット１１ａが逆方向に移動すると、清掃ブラシ１８が接触する前記フィルタ７の片側半分が、付着した塵埃を前記清掃ブラシ１８により  き取られ清掃されるようになっている。前記フィルタ清掃ユニット１１ａが、清掃を開始する初期位置まで復帰すると、前記ロック部材２０のカム２０ｃが前記突状部に突き当たり回動するとともに、同ロック部材２０に形成された押さえ部２０ｂが、前記清掃ブラシ１８の掛止部から離間し、その表面が前記回収ブラシ１９に接触し、付着した塵埃が  き取られるとともに、回収されるようになっている。
【００３１】
以上、説明したように、前記ダストボックス１１が一側から他側に向かい移動を行う往路では、図６で示すように、前記清掃ブラシ１８が格納される一方、前記清掃ブラシ１７が前記フィルタ７の片側半分に接触して清掃を行い、前記ダストボックスが他側から一側向かい移動を行う往路では、前記清掃ブラシ１７が格納される一方、前記清掃ブラシ１８が前記フィルタ７の片側半分に接触して清掃を行なうようになっている。前記フィルタ７の清掃面を左右に分割し、往路と復路とで清掃を行うことにより、一度に清掃を行う場合に比較して、ブラシとフィルタとの接触面積とが半分程度となり、ブラシとフィルタとの接触負荷が、これに伴って概略半分程度となる。これにより、前記駆動モータ１２への動力負荷、及びギヤ系統に掛かる動力負荷が大幅に低減できるようになっている。これにより円滑なフィルタ清掃が行え、駆動モータ等の小型化がはかれる天井埋込形空気調和機とすることができるようになっている。
【実施例２】
【００３２】
第二実施例は、壁掛型空気調和機について説明する。壁掛型空気調和機２は、図７の断面図で示すように、本体の前面に前面吸込口３０を、上面に上面吸込口３１を設け、前面下部に左右風向偏向板３２ａを備えた吹出口３２を設けている。前記前面吸込口３０と前記上面吸込口３１との裏面には、吸込まれた空気中の塵埃を補集するフィルタ３５と、同フィルタ３５に堆積した塵埃を自動的に清掃するクリーンフィルタユニット３７が設けられている。また、本体内には、垂直部３３ａと、後方傾斜部３３ｂと、前方傾斜部３３ｃとからなり、前記前面吸込口３０と前記上面吸込口３１とから吸込まれた空気と熱交換する熱交換器３３と、熱交換された空気を前記吹出口３２から室内に送出する送風ファン３４とが設けられている。
【００３３】
前記クリーンフィルタユニット３７は、図８の斜視図で示すように、枠体状に形成され、左右一対のフィルタ３５を装着するフレーム３８と、同フレーム３８に上下動自在に支持される清掃ユニットマウンタ３９と、同清掃ユニットマウンタ３９に着脱自在に装着され、前記フィルタ３５の表面に付着した塵埃を清掃するフィルタ清掃ユニット３６と、フィルタ抑えユニット３９ｂとからなっている。
【００３４】
前記フレーム３８は、前面に膨出するように弓状に形成され、断面が中空の複数のガイドフレーム３８ａと、同ガイドフレーム３８ａの夫々の上端部を連結する水平状の上部フレーム３８ｂと、夫々の下端部を連結する水平状の下部フレーム３８ｃとで構成されている。また、各ガイドフレーム３８ａの前面には、相対向する断面Ｌ字状に形成されるとともに、一端に差込口を備え、前記フィルタ３５を着脱可能に装着するフィルタ挿入溝が設けられている。また、前記フレーム３８の一側には、駆動モータと、ギアケースとを内蔵し、前記清掃ユニットマウンタ３９を上下動させる駆動部４０が設けられている。
【００３５】
前記清掃ユニットマウンタ３９は、前記各ガイドフレーム３８ａの側面から前方に向かい突設され、Ｌ字状の係止用切欠きと、係止孔とを備えた板状の装着部３９ａと、同装着部３９ａの基端部を夫々連結するとともに、前記フィルタ３５の裏面を前記フィルタ抑えユニット３９ｂとからなり、前記フレーム３８に上下動自在に装着されるようになっている。また、同清掃ユニットマウンタ３９には、前記フィルタ清掃ユニット３６が着脱自在に装着されるようになっている。
【００３６】
一対の前記フィルタ３５は、図２で示すように、縦桟を中央に備えた矩形状の枠体３５ａと、同枠体３５ａ内に張設され、網目が規則的に形成されたフィルタ部３５ｂとからなり、同フィルタ部３５ｂは、例えば導電性樹脂などの帯電防止材を添加したポリプロピレンなどのベース樹脂から形成されている。これは、後述する、フィルタ清掃ユニット３６に内蔵されたナイロン製の清掃ブラシとの摩擦による帯電を防止し、帯電による埃の吸着を防ぐためである。尚、防黴材や抗菌材をさらに添加することもできるようになっている。
【００３７】
また、前記枠体３５ａの上端部には左右一対の突状部３５ｃが形成され、下端部にも左右一対の突状部３５ｄとが形成されており、同突状部３５ｃと突状部３５ｄには、後述するフィルタ清掃ユニット３６の清掃ブラシ回転軸に設けられたカムと、ロック部材に設けられたカムとが突きあたるようになっている。
【００３８】
中空状に形成された前記ガイドフレーム３８ａは、図９の断面図で示すように、中空部に長手方向に沿って仕切板３８ｄを備えており、同仕切板３８ｄには、駆動ベルト４１が環状に巻回されている。前記駆動部４０内には、駆動モータに連結された駆動ギア４２と、同駆動ギア４２に噛合する、第一巻取リール４３及び第二巻取リール４４とが収納されており、前記駆動ベルト４１の一端は、前記第一巻取リール４３に固定され、他端は、前記第二巻取リール４４に固定されるようになっている。また、同駆動ベルト４１の所定箇所は、前記清掃ユニットマウンタ３９のフィルタ受部３９ｂに固定されるようになっており、これにより、駆動モータが駆動されると、前記第一巻取リール４３及び第二巻取リール４４が回転駆動され、前記駆動ベルト４１が移動して、前記清掃ユニットマウンタ３９及びこれに装着されたフィルタ清掃ユニット３６が上下方向に移動するようになっている。
【００３９】
前記フィルタ清掃ユニット３６の構成は、第一実施例で説明した構成と同等であり、内部には、回動自在に軸支される一対の清掃ブラシと、これらに捕獲された塵埃をボックス本体内に回収する一対の回収ブラシと、前記清掃ブラシの回動を規制するロック部材とが収納されている。清掃ブラシと、回収ブラシと、ロック部材とは、第一実施例と異なり、前記フィルタ３５の上面側に配置されるようになっている。
【００４０】
次に、フィルタ清掃の動作について説明する。フィルタ清掃を行う際、前記フィルタ清掃ユニット３６は図９で示すように、前記ガイドフレーム３８ａの最下部に位置している。前記フィルタ清掃ユニット３６内に設けられた、右側の清掃ブラシ４５は前記フィルタ３５に接触しており、左側の清掃ブラシは格納された状態となっている。この状態で、前記駆動部４０に備えられた駆動モータが始動されると前記第二巻取リール４４から駆動ベルト４１が送出される一方、他端が前記第一巻取リール４３に巻き取られることにより、前記駆動ベルト４１が移動し、前記フィルタ清掃ユニット３６は上方に向かい移動するようになっている。前記フィルタ３５に対し、前記フィルタ清掃ユニット３６が図１０（Ａ）の矢印で示す方向に移動すると、前記清掃ブラシ４５により前記フィルタ３５の右側半分が、表面に付着した塵埃を  き取られ清掃されるようになっている。また、フィルタ３５に裏面には、清掃ブラシ４５に対向して、フィルタ抑えユニット３９ｂが配置されているため、フィルタ３５が下方に逃げるのを防止することができるようになっている。
【００４１】
前記フィルタ清掃ユニット３６が、前記ガイドフレーム３８ａの最上部まで移動すると、図１０（Ｂ）で示すように、ロック部材４７のカムが前記フィルタ３５に形成された突状部３５ｃに突き当たり矢印で示す方向に回動するようになっている。これに伴い、同ロック部材４７に形成された押さえ部が、前記清掃ブラシ４５の掛止部から離間し、同清掃ブラシ４５の回動の規制が解除されるようになっている。
【００４２】
前記清掃ブラシ４５の規制が解除されると、続いて、同清掃ブラシ４５に設けられたカムが前記突状部３５ｃに突き当たり矢印で示す方向に回動するようになっている。これにより、前記清掃ブラシ４５の表面が前記回収ブラシ４６に接触し、同清掃ブラシ４５に付着した塵埃が  き取られ、前記フィルタ清掃ユニット３６内に回収されるようになっている。
【００４３】
次に、前記駆動部４０に備えられた駆動モータが逆回転すると、前記第一巻取リール４３から駆動ベルト４１が送出される一方、他端が前記第二巻取リール４４に巻き取られることにより、前記駆動ベルト４１が移動し、前記フィルタ清掃ユニット３６は下方に向かい移動するようになっている。この際、前記ロック部材４７と、前記清掃ブラシ４５とは、図１０（Ｃ）で示すように、夫々が備えた付勢手段により付勢されて、前記フィルタ清掃ユニット３６内の上部に格納された状態で移動し、カムが前記突状部３５ｄに夫々突き当たると、図１０（Ａ）で示す状態に復帰するようになっている。
【００４４】
前記フィルタ清掃ユニット３６が下方に向かい移動する際、同フィルタ清掃ユニット３６内で、前記清掃ブラシ４５と前後対称となるように形成されている清掃ブラシは、図１０（Ａ）で示す状態となり、前記フィルタ３５の左側半分を清掃するようになっている。前記フィルタ清掃ユニット３６が、前記ガイドフレーム３８ａの最下部まで移動すると、ロック部材のカム及び清掃ブラシのカムが突状部に突き当たり回動して、押さえ部が前記清掃ブラシの掛止部から離間するとともに、清掃ブラシの表面が回収ブラシ接触し、塵埃が前記フィルタ清掃ユニット３６内に回収されるようになっている。
【００４５】
以上、説明したように、前記フィルタ清掃ユニット３６が下方から上方に向かい移動を行う往路では、前記フィルタ清掃ユニット３６に収納された右側の清掃ブラシが清掃を行い、前記ダストボックスが上部から下部に向かい移動を行う往路では、左側の清掃ブラシが清掃を行なうことにより、一度に清掃を行う場合に比較して、ブラシとフィルタとの接触面積とが半分程度となり、ブラシとフィルタとの接触負荷が、これに伴って概略半分程度となる。これにより、前記駆動部への動力負荷、及びギヤ系統に掛かる動力負荷が大幅に低減できるようになっている。これにより円滑なフィルタ清掃が行え、駆動モータ等の小型化がはかれる壁掛型空気調和機とすることができるようになっている。
【図面の簡単な説明】
【００４６】
【図１】第一実施例における天井埋込形空気調和機を示す側面図である。
【図２】（Ａ）は、天井埋込形空気調和機に設けられるクリーンフィルタユニットを示す正面図である。  （Ｂ）は、その側面図である。
【図３】（Ａ）は、クリーンフィルタユニットの駆動系統を示す正面図である。  （Ｂ）は、その側面図である。
【図４】（Ａ）は、ダストボックスを示す分解斜視図である。  （Ｂ）は、清掃ブラシとロック部材を示す斜視図である
【図５】ダストボックス内の動作を示す断面図である。
【図６】フィルタの清掃手順を示すす正面図及び側面図である
【図７】第二実施例による壁掛型空気調和機を示す断面図である。
【図８】クリーンフィルタユニットを示す斜視図である。
【図９】駆動系統を示す断面図である。
【図１０】ダストボックス内の動作を示す断面図である。
【図１１】従来の天井埋込形空気調和機を示す断面図及び要部斜視図である。
【符号の説明】
【００４７】
１  天井埋込形空気調和機
２  壁掛型空気調和機
３  筐体
４  化粧パネル
５  吸込グリル
６  クリーンフィルタユニット
６ａ  枠部
６ｂ  フィルタ装着部
６ｃ  送風路
７  フィルタ
７ａ  桟
７ｂ  細桟
７ｃ  フィルタ部
８  駆動ユニット
９ａ、９ｂ  レール
１０  ラックギア
１１ａ  フィルタ清掃ユニット
１１ｂ  フィルタ抑えユニット
１１ｃ  キャスタ
１２  駆動モータ
１３  ウォームギアユニット
１４ａ、１４ｂ  連結ギア
１５  第一カバー
１６  第二カバー
１６ａ  右側清掃ブラシ取付部
１６ｂ  左側清掃ブラシ取付部
１７  清掃ブラシ
１７ａ  基台
１７ｂ  軸
１７ｃ  カム
１７ｄ  掛止部
１８  清掃ブラシ
１９  回収ブラシ
２０  ロック部材
２０ａ  軸
２０ｂ  押さえ部
２０ｃ  カム
２１  ブラシ
３０  前面吸込口
３１  上面吸込口
３２  吹出口
３２ａ  左右風向偏向板
３３  熱交換器
３３ａ  垂直部
３３ｂ  後方傾斜部
３３ｃ  後方傾斜部
３４  送風ファン
３５  フィルタ
３５ａ  枠体
３５ｂ  フィルタ部
３５ｃ、３５ｄ  突状部
３６  フィルタ清掃ユニット
３７  クリーンフィルタユニット
３８  フレーム
３８ａ  ガイドフレーム
３８ｂ  上部フレーム
３８ｃ  下部フレーム
３８ｄ  仕切板
３９  清掃ユニットマウンタ
３９ａ  装着部
３９ｂ  フィルタ抑えユニット
４０  駆動部
４１  駆動ベルト
４２  駆動ギア
４３  第一巻取リール
４４  第二巻取リール
４５  清掃ブラシ
４６  回収ブラシ
４７  ロック部材
【図１】
0004661661.tif 000002
【図２】
0004661661.tif 000003
【図３】
0004661661.tif 000004
【図４】
0004661661.tif 000005
【図５】
0004661661.tif 000006
【図６】
0004661661.tif 000007
【図７】
0004661661.tif 000008
【図８】
0004661661.tif 000009
【図９】
0004661661.tif 000010
【図１０】
0004661661.tif 000011
【図１１】
0004661661.tif 000012